(57)【要約】【課題】移動局装置が通信方式の異なる通信サービスを選択することができること。【解決手段】第１の通信方式で通信をする第１の基地局装置と、第２の通信方式で通信をする第２の基地局装置と、前記第１の基地局装置及び前記第２の基地局装置と通信をする移動局装置と、を備える無線通信システムにおいて、前記移動局装置は、第１の通信方式による通信サービスを要求する通信サービス要求に対して第２の通信方式による通信サービスに変更させる変更要求を送信する通信方式変更部を備える。【選択図】図３
2009278423.tif 000002
【特許請求の範囲】
【請求項１】
第１の通信方式で通信をする第１の基地局装置と、第２の通信方式で通信をする第２の基地局装置と、前記第１の基地局装置及び前記第２の基地局装置と通信をする移動局装置と、を備える無線通信システムにおいて、
前記移動局装置は、
第１の通信方式による通信サービスを要求する通信サービス要求に対して第２の通信方式による通信サービスに変更させる変更要求を送信する通信方式変更部
を備えることを特徴とする無線通信システム。
【請求項２】
前記通信方式変更部は、前記第２の基地局装置に対し、前記変更要求を送信する
ことを特徴とする請求項１に記載の無線通信システム。
【請求項３】
前記変更要求は、移動局装置と通信をするための情報を、前記第２の基地局装置が前記第１の基地局装置から取得するための情報を含む
ことを特徴とする請求項２に記載の無線通信システム。
【請求項４】
前記通信方式変更部は、前記第１の基地局装置に対し、前記変更要求を送信する
ことを特徴とする請求項１に記載の無線通信システム。
【請求項５】
前記変更要求は、前記第１の基地局装置の情報を、前記第２の基地局装置へ送信させる情報を含む
ことを特徴とする請求項４に記載の無線通信システム。
【請求項６】
前記通信方式変更部は、前記通信サービス要求の前に、予め前記変更要求を送信する
ことを特徴とする請求項４又は請求項５に記載の無線通信システム。
【請求項７】
前記移動局装置は、
第１の通信方式の通信を要求する通信サービス要求を検出する通信サービス要求検出部
を備え、
前記通信方式変更部は、通信サービス要求検出部が検出した通信サービス要求に対し、第２の通信方式による通信サービスに変更する変更要求を送信する
ことを特徴とする請求項１から請求項５のいずれかの項に記載の無線通信システム。
【請求項８】
前記移動局装置は、
各種類の通信サービスについて、第１の通信方式による通信サービスの実施の可否を示す通信サービス可否情報を記憶する通信可否情報記憶部
を備え、
前記通信方式変更部は、前記通信サービス要求が要求する通信サービスについて、通信可否情報記憶部が記憶する通信サービス可否情報が、第１の通信方式による通信サービスの実施不可を示す情報である場合に、前記変更要求を送信する
ことを特徴とする請求項１から請求項７のいずれかの項に記載の無線通信システム。
【請求項９】
前記移動局装置は、前記通信サービス可否情報を更新させる通信可否情報更新部
を備える
ことを特徴とする請求項８に記載の無線通信システム。
【請求項１０】
前記通信サービス可否情報は、前記移動局装置が前記第１の通信方式による通信サービスの実施ができない場合に、該第１の通信方式による通信サービスの実施不可を示す情報とされる
ことを特徴とする請求項８又は請求項９に記載の無線通信システム。
【請求項１１】
前記第１の通信方式は、パケット交換方式であり、
前記第２の通信方式は、回線交換方式である
ことを特徴とする請求項１から請求項８のいずれかの項に記載の無線通信システム。
【請求項１２】
前記第１の通信方式による通信サービスで通信可能な領域が、前記第２の通信方式による通信サービスで通信可能な領域よりも広い領域である
ことを特徴とする請求項１から請求項８のいずれかの項に記載の無線通信システム。
【請求項１３】
前記第１の通信方式による通信サービスの通信料金が、前記第２の通信方式による通信サービスの通信料金よりも高い通信料金である
ことを特徴とする請求項１から請求項８のいずれかの項に記載の無線通信システム。
【請求項１４】
第１の通信方式で通信をする第１の基地局装置と、第２の通信方式で通信をする第２の基地局装置と、前記第１の基地局装置、及び、前記第２の基地局装置と通信をする移動局装置において、
第１の通信方式による通信サービスを要求する通信サービス要求に対し、第２の通信方式による通信サービスに変更させる変更要求を送信する通信方式変更部
を備えることを特徴とする移動局装置。
【請求項１５】
第１の通信方式で通信をする第１の基地局装置と、第２の通信方式で通信をする第２の基地局装置と、前記第１の基地局装置、及び、前記第２の基地局装置と通信をする移動局装置と、を備える無線通信システムにおける無線通信方法おいて、
前記移動局装置が、第１の通信方式による通信サービスを要求する通信サービス要求に対し、第２の通信方式による通信サービスに変更させる変更要求を送信する過程
を有することを特徴とする無線通信方法。
【請求項１６】
第１の通信方式で通信をする第１の基地局装置と、第２の通信方式で通信をする第２の基地局装置と、前記第１の基地局装置、及び、前記第２の基地局装置と通信をする移動局装置のコンピュータを、
第１の通信方式による通信サービスを要求する通信サービス要求に対し、第２の通信方式による通信サービスに変更させる変更要求を送信する手段
として機能させる無線通信プログラム。
【発明の詳細な説明】
【技術分野】
【０００１】
本発明は、無線通信システム、移動局装置、無線通信方法、及び無線通信プログラムに関する。
【背景技術】
【０００２】
近年の通信システムとして使用されているＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）やＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）の無線ネットワークにおいては、音声呼など回線を占有して通信を行う回線交換（ＣＳ：Ｃｉｒｃｕｉｔ  ｓｗｉｔｃｈｉｎｇ）方式と、パケットを用いて通信を行うパケット交換（ＰＳ：Ｐａｃｋｅｔ  Ｓｗｉｔｃｈｉｎｇ）方式とが使用されている。このパケット交換は、従来の回線交換方式よりも高速な通信が可能になるという特徴がある。
【０００３】
この特徴を利用して、従来回線交換方式で行っていた通信サービスを全てパケット交換方式で行うネットワークが検討されている。
例えば、携帯電話の標準化を行っている３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ：第３世代パートナシッププロジェクト）においても、ＬＴＥ（Ｌｏｎｇ  Ｔｅｒｍ  Ｅｖｏｌｕｔｉｏｎ）として、次世代の仕様を検討しており、全ての通信サービスをパケット交換方式にて実行する、いわゆるＡＬＬ−ＩＰ(Ｉｎｔｅｒｎｅｔ  Ｐｒｏｔｏｃｏｌ）ネットワークが採用されている。
このＬＴＥにおいては、従来回線交換方式で行っていた通信サービスの一例である音声通話に対し、ＶｏＩＰ（Ｖｏｉｃｅ ｏｖｅｒ  ＩＰ）と呼ばれている技術を用いたパケット交換方式での音声通話が採用されている。このボイスオーバアイピーＶｏＩＰは、音声データを各種符号化方式で圧縮してパケット単位に分割し、該パケットをＩＰネットワークで通信することにより、音声通話を実現する技術である。
【０００４】
回線交換方式のネットワーク（例えばＷ−ＣＤＭＡ網)と、パケット交換方式のネットワーク（例えばＬＴＥ網）との、双方に接続可能なデュアル端末が、回線交換方式のネットワークとパケット交換方式のネットワークとのどちらとも、待ち受けや通信が出来る環境下に在圏している場合、ユーザーはパケット交換方式のネットワークを使用して、データのダウンロードなどをより高速に実行可能になる。
しかし、従来回線交換方式のネットワークで行っていたリアルタイム性を要求される通信サービス（例えば音声呼）をパケット交換方式のネットワークにて実行しようとすると、それほど高速な通信は要求されないにも関わらず、音声が遅延したり、途切れたりといった、通信品質の劣化が生じてしまうことがある。このため、利用者は、むしろ遅延や品質の保証のため従来どおり回線交換方式のネットワークで通信することを好む場合がある。
【０００５】
また、基地局装置ではパケット交換方式でトータルスループットを増大させるという観点において、低レートの通信サービスを行うことを好まず、低レートの通信サービスは、パケット交換方式ではなく、回線交換方式で実施することを選択する可能性もある。さらに、設定等によってパケット交換方式では音声通話を全く行わないようにしてしまう端末装置や基地局装置も考えられる。
これらの場合において、パケット交換方式の通信を行う基地局装置のセルで待ち受けを行っているときに、音声通話の着信が発生した場合は、ボイスオーバアイピーＶｏＩＰを用いた音声通話を好まない設定にもかかわらずボイスオーバアイピーＶｏＩＰを用いた音声通話を開始するか、ボイスオーバアイピーＶｏＩＰを用いた音声通話ができない設定のため、音声着信を受けることができなくなる。
【０００６】
そこで、非特許文献１には、ボイスオーバアイピーＶｏＩＰを用いた音声通話を回線交換方式の音声通話に切り替える切替方法について記載されている。非特許文献１では、例えば、７．１９．１．７．２．１項に、携帯端末がＬＴＥの基地局装置とボイスオーバアイピーＶｏＩＰを用いた音声通話をしているとき、該ＬＴＥの基地局装置が、ＧＳＭやＷ−ＣＤＭＡの基地局装置に対し、ハンドオーバ要求を行うことが記載されている。つまり、ＬＴＥの基地局装置は通信状況に応じてボイスオーバアイピーＶｏＩＰを用いた音声通話から回線交換方式の音声通話へハンドオーバを行うことが可能である。
【非特許文献１】３ＧＰＰ  ＴＲ２３．８８２  “３ＧＰＰ  Ｓｙｓｔｅｍ  Ａｒｃｈｉｔｅｃｔｕｒｅ  Ｅｖｏｌｕｔｉｏｎ：  Ｒｅｐｏｒｔ  ｏｎ  Ｔｅｃｈｎｉｃａｌ  Ｏｐｔｉｏｎｓ  ａｎｄ  Ｃｏｎｃｌｕｓｉｏｎｓ  （Ｒｅｌｅａｓｅ  ７）”  ｖ１ｅ０
【発明の開示】
【発明が解決しようとする課題】
【０００７】
しかし、従来の切替方法では、通信中に基地局装置が通信方式の異なる通信サービスへの変更要求をしており、基地局装置からの着信通知による通信サービスにおいて、移動局装置が在圏をしていた基地局装置の通信方式にて通信サービスを開始することなく、通信方式の異なる通信サービスを開始する、ということができないという欠点がある。
例えば、パケット交換方式による音声通話（通信サービス）であるボイスオーバアイピーＶｏＩＰを用いた音声通話ができない移動局装置は、音声通話としてボイスオーバアイピーＶｏＩＰを用いるネットワークに在圏中に音声着信が発生した場合に、回線交換方式による音声通話へ移行することができず、音声通話サービスを受けることができないという欠点がある。
また、パケット交換方式による音声通話（通信サービス）であるボイスオーバアイピーＶｏＩＰを用いた音声通話ができないパケット交換方式専用の基地局装置は、在圏している全ての移動局装置に対して、音声通話が可能な基地局装置へ移行させ、音声通話サービスを継続させることができないという欠点がある。
また、通信可能な領域（通信エリア）は広いが低速パケット通信しか出来ない基地局装置、もしくは通信料が高額な通信を行う基地局装置で待ち受けを行っている移動局装置は、前記基地局装置からの着信に対し、呼接続することなく、通信エリアは狭いが高速パケット通信が可能な基地局装置、もしくは通信料が低額な基地局装置にて通信を開始することができず、高速パケット通信ができるまで時間がかかるもしくは不要な料金が発生するという欠点がある。
【０００８】
本発明は上記の点に鑑みてなされたものであり、その目的は、移動局装置が在圏していた基地局装置の通信方式にて通信サービスを開始することなく、通信方式の異なる通信サービスを開始することができる無線通信システム、移動局装置、無線通信方法、及び無線通信プログラムを提供することにある。
【課題を解決するための手段】
【０００９】
（１）本発明は上記の課題を解決するためになされたものであり、その一態様は、第１の通信方式で通信をする第１の基地局装置と、第２の通信方式で通信をする第２の基地局装置と、前記第１の基地局装置及び前記第２の基地局装置と通信をする移動局装置と、を備える無線通信システムにおいて、前記移動局装置は、第１の通信方式による通信サービスを要求する通信サービス要求に対して第２の通信方式による通信サービスに変更させる変更要求を送信する通信方式変更部を備える。
上記構成によると、移動局装置が、第１の基地局装置からの第１の通信方式による通信サービスを要求する通信サービス要求に対して、第２の基地局装置との第２の通信方式による通信サービスに変更させる変更要求を送信するので、移動局装置が在圏していた基地局装置の通信方式にて通信サービスを開始することなく、通信方式の異なる通信サービスを開始することができる。
【００１０】
（２）また、本発明の一態様は、前記通信方式変更部は、前記第２の基地局装置に対し、前記変更要求を送信する。
【００１１】
（３）また、本発明の一態様は、前記変更要求は、移動局装置と通信をするための情報を、前記第２の基地局装置が前記第１の基地局装置から取得するための情報を含む。
【００１２】
（４）また、本発明の一態様は、前記通信方式変更部は、前記第１の基地局装置に対し、前記変更要求を送信する。
【００１３】
（５）また、本発明の一態様は、前記変更要求は、前記第１の基地局装置の情報を、前記第２の基地局装置へ送信させる情報を含む。
【００１４】
（６）また、本発明の一態様は、前記通信方式変更部は、前記通信サービス要求の前に、予め前記変更要求を送信する。
上記構成によると、移動局装置は、前記通信サービス要求の前に、予め前記変更要求を送信するので、移動局装置に通信サービス要求をする前に、通信方式を変更することができ、移動局装置が通信サービス要求された通信を開始するまでの時間を短縮することができる。
【００１５】
（７）また、本発明の一態様は、前記移動局装置は、第１の通信方式の通信を要求する通信サービス要求を検出する通信サービス要求検出部を備え、前記通信方式変更部は、通信サービス要求検出部が検出した通信サービス要求に対し、第２の通信方式による通信サービスに変更する変更要求を送信する。
【００１６】
（８）また、本発明の一態様は、前前記移動局装置は、各種類の通信サービスについて、第１の通信方式によるサービスの実施の可否を示す通信サービス可否情報を記憶する通信可否情報記憶部を備え、前記通信方式変更部は、通信可否情報記憶部が記憶する通信サービス可否情報が第１の通信方式によるサービスの実施不可を示す情報である場合に、前記変更要求を送信する。
上記構成によると、移動局装置は、第１の通信方式によるサービスの実施不可を予め記憶し、該実施不可の第１の通信方式による通信サービス要求に対し、第２の通信方式に変更させる変更要求をするため、第１の通信方式によるサービスに比べ、第２の通信方式によるサービスを受けやすくなる。
【００１７】
（９）また、本発明の一態様は、前記移動局装置は、前記通信サービス可否情報を更新する通信サービス可否情報更新部を備える。
【００１８】
（１０）また、本発明の一態様は、前記通信サービス可否情報は、前記移動局装置が前記第１の通信方式による通信サービスの実施ができない場合に、該第１の通信方式による通信サービスの実施不可を示す情報とされる。
【００１９】
（１１）また、本発明の一態様は、前記第１の通信方式は、パケット交換方式であり、前記第２の通信方式は、回線交換方式である。
【００２０】
（１２）また、本発明の一態様は、前記第１の通信方式による通信サービスでの通信可能な領域が、前記第２の通信方式による通信サービスでの通信可能な領域よりも広い領域である。
【００２１】
（１３）また、本発明の一態様は、前記第１の通信方式による通信サービスの通信料金が、前記第２の通信方式による通信サービスの通信料金よりも高い通信料金である。
【００２２】
（１４）また、本発明の一態様は、第１の通信方式で通信をする第１の基地局装置と、第２の通信方式で通信をする第２の基地局装置と、前記第１の基地局装置、及び、前記第２の基地局装置と通信をする移動局装置において、第１の通信方式による通信サービスを要求する通信サービス要求に対し、第２の通信方式による通信サービスに変更させる変更要求を送信する通信方式変更部を備える。
【００２３】
（１５）また、本発明の一態様は、第１の通信方式で通信をする第１の基地局装置と、第２の通信方式で通信をする第２の基地局装置と、前記第１の基地局装置、及び、前記第２の基地局装置と通信をする移動局装置と、を備える無線通信システムにおける無線通信方法おいて、前記移動局装置が、第１の通信方式による通信サービスを要求する通信サービス要求に対し、第２の通信方式による通信サービスに変更させる変更要求を送信する過程、を有する。
【００２４】
（１６）また、本発明の一態様は、第１の通信方式で通信をする第１の基地局装置と、第２の通信方式で通信をする第２の基地局装置と、前記第１の基地局装置、及び、前記第２の基地局装置と通信をする移動局装置のコンピュータを、第１の通信方式による通信サービスを要求する通信サービス要求に対し、第２の通信方式による通信サービスに変更させる変更要求を送信する手段として機能させる。
【発明の効果】
【００２５】
本発明によれば、移動局装置が、第１の基地局装置からの第１の通信方式による通信サービスを要求する通信サービス要求に対して、第２の基地局装置との第２の通信方式による通信サービスに変更させる変更要求を送信するので、移動局装置が在圏していた基地局装置の通信方式にて通信サービスを開始することなく、通信方式の異なる通信サービスを開始することができる。
【発明を実施するための最良の形態】
【００２６】
（第１の実施形態）
以下、図面を参照しながら本発明の第１実施形態について説明する。図１は、この発明の第１の実施形態による通信システムの概念図である。
この図において、携帯電話端末Ｂ（移動局装置）は、ＬＴＥ（Ｌｏｎｇ  Ｔｅｒｍ  Ｅｖｏｌｕｔｉｏｎ）基地局装置Ａ（第１の基地局装置）との通信範囲であるセルと、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）基地局装置Ｃ（第２の基地局装置）のセルとの双方に在圏可能な場所にいる。
携帯電話端末BはＬＴＥ基地局装置ＡもしくはＷ−ＣＤＭＡ基地局装置Ｃのどちらかに位置登録を行い、在圏状態となる。携帯電話端末Ｂは、位置登録を行いＬＴＥ基地局装置ＡもしくはＷ−ＣＤＭＡ基地局装置Ｃのセルに在圏すれば、着信を受けることができる。位置登録を行っていないＬＴＥ基地局装置ＡもしくはＷ−ＣＤＭＡ基地局装置Ｃに関して、携帯電話装置Ｂはモニターセルとして監視することが可能である。モニターセルとして監視しているセルに関しては、定期的に受信レベルを測定し、待ち受けを行っているセルと比較して高い受信レベルになれば在圏セルを変更する動作を行うことが可能であり、この動作をセルリセレクション処理と呼ぶ。
【００２７】
ＬＴＥ基地局装置Ａは、全ての通信サービスを、パケットを用いて通信を行うパケット交換方式（第１の通信方式）にて行う。通信サービスには、例えば、音声通話、テレビ電話、ストリーミング、電子メールがある。
また、ＬＴＥ基地局装置Ａは、例えば、携帯電話装置Ｂとの音声通話の通信について、パケット方式による通信サービスであるＶｏＩＰ（Ｖｏｉｃｅ ｏｖｅｒ  ＩＰ）を用いた通信により行う。
なお、このボイスオーバアイピーＶｏＩＰは、音声データを各種符号化方式で圧縮してパケット単位に分割し、該パケットをＩＰネットワークで通信することにより、音声通話を実現する技術である。
また、ＬＴＥ基地局装置ＡとＷ−ＣＤＭＡ基地局装置Ｃとは、携帯電話網Ｄを介して通信可能である。
【００２８】
Ｗ−ＣＤＭＡ基地局装置Ｃは、通信を、通信回線を占有して通信を行う回線交換方式（第２の通信方式）と、パケット交換方式とにより行う。
なお、パケット交換方式の通信は、回線交換方式の通信よりも高速な通信が可能になるという特徴がある。一方、回線交換方式の通信は、パケット交換方式の通信よりも音声通話による音声の遅延防止等の高い品質の通信が可能になるという特徴がある。
【００２９】
例えば、携帯電話装置Ｂは、ボイスオーバアイピーＶｏＩＰを用いた通信ができないため、又は、高い品質の通信を行うため、回線交換方式の通信を行うことを選択し、ボイスオーバアイピーＶｏＩＰを用いた音声通話の要求に対して、これを回線交換方式による音声通話に変更させる変更要求を行う。
【００３０】
以下、本実施形態によるＬＴＥ基地局装置Ａ、携帯電話装置Ｂ、及びＷ−ＣＤＭＡ基地局装置Ｃについて説明をする。また、ＬＴＥ基地局装置ＡをＬＴＥ基地局装置ａ１、携帯電話装置Ｂを携帯電話装置ｂ１、Ｗ−ＣＤＭＡ基地局装置ＣをＷ−ＣＤＭＡ基地局装置ｃ１とする。
【００３１】
まず、ＬＴＥ基地局装置ａ１について説明をする。ＬＴＥ基地局装置ａ１は、パケット交換方式の通信のみを行う基地局装置である。
図２は、本実施形態によるＬＴＥ基地局装置ａ１の構成を示す概略的ブロック図である。
ＬＴＥ基地局装置ａ１は、受信アンテナａ１１、受信部ａ１２、制御部ａ１３、記憶部ａ１４、通信部ａ１５、送信部ａ１６、及び送信アンテナａ１７を含んで構成される。また、ＬＴＥ基地局装置ａ１は、その他、基地局装置の一般的な機能を備える。
【００３２】
受信アンテナａ１１は、携帯電話装置ｂ１から送信された信号を受信し、受信部ａ１２に出力する。
受信部ａ１２は、受信アンテナａ１１から入力された受信信号を無線周波数の信号からベースバンドの信号にダウンコンバートし、次いでアナログ／デジタル変換によりデジタル信号に変換した受信情報を、制御部ａ１３に出力する。
【００３３】
制御部ａ１３は、通信部ａ１５から、セルに在圏する携帯電話装置への通信サービスの要求である着信情報が入力されると、記憶部ａ１４の着信情報記憶部ａ１４１に、該入力された着信情報を記憶させる。
例えば、制御部ａ１３は、通信部ａ１５から、携帯電話装置ｂ１へのパケット交換方式による通信サービスであるボイスオーバアイピーＶｏＩＰを用いた音声通話を要求する情報が入力されると、該情報に含まれる携帯電話装置ｂ１の識別情報、発呼元の識別情報等を、着信情報として着信情報記憶部ａ１４１に記憶させる。
【００３４】
制御部ａ１３は、通信サービス要求部ａ１３１と着信情報送信部ａ１３２を含んで構成される。
通信サービス要求部ａ１３１は、通信部ａ１５から、セルに在圏する携帯電話装置への着信情報が入力されると、携帯電話装置に対する通信サービス要求情報を生成し、該携帯電話装置に対して送信をする。
例えば、通信サービス要求部ａ１３１は、通信部ａ１５から、セルに在圏する携帯電話装置ｂ１に対するボイスオーバアイピーＶｏＩＰを用いた音声通話を要求する情報が入力されると、該情報を、短い文字メッセージをやりとりするためのサービスであるＳＭＳ（Ｓｈｏｒｔ  Ｍｅｓｓａｇｅ  Ｓｅｒｖｉｃｅ：ショートメッセージサービス）を用いて、携帯電話装置ｂ１に対して、送信部ａ１６を介して送信する。
【００３５】
着信情報送信部ａ１３２は、携帯電話装置の着信情報を要求する情報を、他の基地局から受信し、該要求された携帯電話装置の着信情報を、該要求する情報を送信した基地局に対して送信する。
例えば、着信情報送信部ａ１３２は、携帯電話装置ｂ１の着信情報を要求する情報を、Ｗ−ＣＤＭＡ基地局装置ｃ１から通信部ａ１５及び携帯電話網Ｄを介して受信する。着信情報送信部ａ１３２は、この着信情報を要求する情報を受信すると、着信情報記憶部ａ１４１から要求された携帯電話装置ｂ１の着信情報を読み出す。そして、着信情報送信部ａ１３２は、該読み出した携帯電話装置ｂ１の着信情報を、要求元であるＷ−ＣＤＭＡ基地局装置ｃ１に対して、通信部ａ１５及び携帯電話網Ｄを介して送信する。
【００３６】
通信部ａ１５は、制御部ａ１３の制御に従い、携帯電話網Ｄを介して後述するＷ−ＣＤＭＡ基地局装置ｃ１と通信をする。
【００３７】
送信部ａ１６は、制御部ａ１３から入力された情報を携帯電話装置ｂ１に送信する。
送信部ａ１６は、制御部ａ１３から入力されたデジタル信号を、デジタル／アナログ変換によりアナログ信号に変換して送信信号として、無線周波数の信号にアップコンバートし、送信アンテナａ１７を介して携帯電話装置ｂ１に送信をする。
【００３８】
なお、受信部ａ１２、制御部ａ１３、通信部ａ１５、送信部ａ１６は、記憶部ａ１４の保持するプログラムを読み出し実行することにより、又は、電子回路により実現される。
また、記憶部ａ１４は、データを保持するものであり、磁気ハードディスク装置あるいは半導体メモリを用いて実現される。
【００３９】
次に、携帯電話装置ｂ１について説明をする。
図３は、本実施形態による携帯電話装置ｂ１の構成を示す概略的ブロック図である。
携帯電話装置ｂ１は、受信アンテナｂ１１、受信部ｂ１２、制御部ｂ１３、記憶部ｂ１４、送信部ｂ１５、及び送信アンテナｂ１６を含んで構成される。また、携帯電話装置ｂ１は、その他、携帯電話装置の一般的な機能を備える。
【００４０】
受信アンテナｂ１１は、ＬＴＥ基地局装置ａ１、Ｗ−ＣＤＭＡ基地局装置ｃ１から送信された信号を受信し、受信部ｂ１２に出力する。
受信部ｂ１２は、受信アンテナｂ１１から入力された受信信号を無線周波数の信号からベースバンドの信号にダウンコンバートし、次いでアナログ／デジタル変換によりデジタル信号に変換した受信情報を、復調して制御部ｂ１３に出力する。
【００４１】
なお、受信部ｂ１２は、ＬＴＥ基地局装置ａ１からＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多元接続）方式で送信された信号を復調し、また、Ｗ−ＣＤＭＡ基地局装置ｃ１からＣＤＭＡ方式で送信された信号を復調する。
【００４２】
また、受信部ｂ１２は、通信サービス要求検出部ｂ１２１を含んで構成される。
通信サービス要求検出部ｂ１２１は、パケット交換方式（第１の通信方式）を用いた通信サービスを要求する通信サービス要求を検出する。
例えば、通信サービス要求検出部ｂ１２１は、ＬＴＥ基地局装置ａ１がショートメッセージサービスＳＭＳを用いて送信した通信サービス要求情報を受信し、該情報により要求される通信サービスが、パケット交換方式であるボイスオーバアイピーＶｏＩＰを用いた音声通話であることを検出する。
【００４３】
制御部ｂ１３は、基地局装置情報取得部ｂ１３１と通信方式変更部ｂ１３２とを含んで構成される。
基地局装置情報取得部ｂ１３１は、受信部ｂ１２が受信した各基地局装置の報知情報から、該報知情報を送信した基地局装置の情報と、該基地局装置の周辺セルの情報と、を取得する。基地局装置情報取得部ｂ１３１は、該取得した周辺セル情報に基づき、該周辺基地局装置から、該基地局装置の情報を取得する。
例えば、ＬＴＥ基地局装置ａ１の報知情報から、ＬＴＥ基地局装置ａ１の識別情報（セルＩＤ）と、ＬＴＥ基地局装置ａ１の通信方式の情報を取得する。また、基地局装置情報取得部ｂ１３１は、該ＬＴＥ基地局装置ａ１の報知情報に含まれる周辺セル情報を取得する。そして、基地局装置情報取得部ｂ１３１は、該取得した周辺セル情報に含まれる基地局装置に対し、セルサーチを行い、例えば、Ｗ−ＣＤＭＡ基地局装置ｃ１から、Ｗ−ＣＤＭＡ基地局装置ｃ１の識別情報（例セルＩＤ）と、Ｗ−ＣＤＭＡ基地局装置ｃ１の通信方式の情報とを取得する。
【００４４】
基地局装置情報取得部ｂ１３１は、報知情報とセルサーチとにより取得した基地局装置情報を記憶部ｂ１４の基地局情報記憶部ｂ１４２に記憶させる。
例えば、基地局情報記憶部ｂ１４２は、ＬＴＥ基地局装置ａ１のセルＩＤに対し、通信方式がパケット交換方式であることを示す情報を関係付け、また、Ｗ−ＣＤＭＡ基地局装置ｃ１のセルＩＤに対し、通信方式が回線交換方式であることを示す情報を関係付けて記憶する。
【００４５】
なお、基地局装置情報取得部ｂ１３１は、無線通信方式の違いにより基地局装置の通信方式を識別して通信方式の情報を取得してもよい。
具体的に、携帯電話装置ｂ１は、ＬＴＥ基地局装置とＷ−ＣＤＭＡ基地局装置と、それぞれ、ＯＦＤＭ方式、ＣＤＭＡ方式で無線通信をする。基地局装置情報取得部ｂ１３１は、該無線通信方式の違いにより基地局装置を識別し、ＯＦＤＭ方式で無線通信を行う基地局装置は、パケット交換方式の通信のみを行う基地局装置であり、ＣＤＭＡ方式で無線通信を行う基地局装置は、回線交換方式の通信を行う基地局装置であることを識別して、該識別した通信方式を基地局情報記憶部ｂ１４２に記憶させてもよい。
【００４６】
通信可否情報記憶部ｂ１４１は、各種類の通信サービスについて、パケット交換方式による通信サービスの実施の可否を示す通信サービス可否情報を記憶する。
通信可否情報記憶部ｂ１４１が記憶する通信サービス可否情報は、例えば、音声通話について、パケット交換方式であるボイスオーバアイピーＶｏＩＰを用いた音声通話は、通信サービスの実施不可を示す情報、また、電子メールについて、パケット交換方式である電子メールは、通信サービスの実施可を示す情報、である。
【００４７】
通信サービス可否情報は、例えば、携帯電話装置ｂ１の利用者等がリアルタイム性を要求される通信サービスについて、通信品質の劣化を回避するために回線交換方式で通信したい場合や、携帯電話装置ｂ１がボイスオーバアイピーＶｏＩＰを用いた音声通話をすることができない場合に、ボイスオーバアイピーＶｏＩＰを用いた音声通話については通信サービスの実施不可を示す情報が対応付けて登録される。
【００４８】
通信方式変更部ｂ１３２は、通信サービス要求検出部ｂ１２１が検出した通信サービス要求が要求する通信サービスについて、記憶部ｂ１４の通信可否情報記憶部ｂ１４１が記憶する通信サービス可否情報がパケット交換方式による通信サービスの実施不可を示す情報である場合に、回線交換方式（第２の通信方式）による通信サービスに変更させる変更要求を、Ｗ−ＣＤＭＡ基地局装置ｃ１（第２の基地局装置）に対し、送信する。
すなわち、通信方式変更部ｂ１３２は、通信サービス要求検出部ｂ１２１が検出した通信サービス要求に対し、回線交換方式（第２の通信方式）の通信サービスに変更する変更要求を送信部ｂ１５に送信させる。
これにより、携帯電話装置ｂ１は、パケット交換方式による通信サービスに比べ、回線交換方式による通信サービスを受けやすくなる。
【００４９】
例えば、通信方式変更部ｂ１３２は、通信サービス要求検出部ｂ１２１が検出したボイスオーバアイピーＶｏＩＰを用いた音声通話の要求が入力されると、ボイスオーバアイピーＶｏＩＰを用いた音声通話について、通信可否情報記憶部ｂ１４１から通信サービス可否情報を読み出す。
通信方式変更部ｂ１３２は、該読み出したボイスオーバアイピーＶｏＩＰを用いた音声通話についての通信サービス可否情報が、通信サービスの実施不可を示す情報である場合、基地局情報記憶部ｂ１４２が記憶する基地局装置情報の中から、回線交換方式の通信を行う基地局装置を検索する。
【００５０】
通信方式変更部ｂ１３２は、該検索の結果、回線交換方式の通信を行う基地局装置を特定する。通信方式変更部ｂ１３２は、自携帯電話装置と該特定した基地局装置とを通信させる要求情報（以下、セルリセレクション要求という）を変更要求情報として、該特定した基地局装置に対して、送信部ｂ１５を介して送信する。
例えば、通信方式変更部ｂ１３２は、回線交換方式の通信を行うＷ−ＣＤＭＡ基地局装置ｃ１を特定し、Ｗ−ＣＤＭＡ基地局装置ｃ１にセルリセレクション要求をする。
【００５１】
通信方式変更部ｂ１３２は、セルリセレクション要求を行う際、通信サービス要求をした基地局装置の情報を、セルリセレクション要求をする基地局装置に送信する。
すなわち、変更要求であるセルリセレクション要求は、移動局装置と通信をするための情報を、第２の基地局装置が第１の基地局装置から取得するための情報を含む。
【００５２】
例えば、通信方式変更部ｂ１３２は、基地局情報記憶部ｂ１４２が記憶する通信サービス要求をしたＬＴＥ基地局装置ａ１の情報を、セルリセレクション要求をするＷ−ＣＤＭＡ基地局装置ｃ１に対して、送信部ｂ１５を介して送信する。なお、ＬＴＥ基地局装置ａ１の情報は、ＬＴＥ基地局装置ａ１のセルＩＤである。該セルＩＤの情報を受信したＷ−ＣＤＭＡ基地局装置ｃ１は、該セルＩＤに基づきＬＴＥ基地局装置ａ１と通信をして、携帯電話装置ｂ１への着信情報、つまり、携帯電話装置ｂ１と通信をするための情報を取得する。
【００５３】
通信可否情報更新部ｂ１３３は、通信サービス可否情報を更新させる。
例えば、通信可否情報更新部ｂ１３３は、図示しない表示部に通信サービス可否情報を表示させ、携帯電話装置ｂ１の利用者に、自身の嗜好や通信業者との契約内容に応じて図示しない操作部のテンキーや十字キー、決定キーを押下させ、該押下したことを検出することにより、通信可否情報記憶部ｂ１４１が記憶する通信サービス可否情報を更新する。
また、通信可否情報更新部ｂ１３３は、携帯電話装置ｂ１が前記第１の通信方式による通信サービスの実施ができない場合、携帯電話装置ｂ１の製造者に、携帯電話装置が備える機能に応じた情報を、データを入力する装置により入力させ、該入力された情報を通信可否情報記憶部ｂ１４１に記憶させてもよい。すなわち、前記通信サービス可否情報は、携帯電話装置ｂ１が前記第１の通信方式による通信サービスの実施ができない場合に、該第１の通信方式による通信サービスの実施不可を示す情報とされる。
【００５４】
送信部ｂ１５は、制御部ｂ１３から入力されたデジタル信号の情報を、デジタル／アナログ変換によりアナログ信号に変換して送信信号として、無線周波数の信号にアップコンバートし、送信アンテナｂ１６を介して、例えば、ＬＴＥ基地局装置ａ１、又は、Ｗ−ＣＤＭＡ基地局装置ｃ１に送信をする。
【００５５】
なお、受信部ｂ１２、制御部ｂ１３、送信部ｂ１５は、記憶部ｂ１４の保持するプログラムを読み出し実行することにより、又は、電子回路により実現される。
また、記憶部ｂ１４は、データを保持するものであり、磁気ハードディスク装置あるいは半導体メモリを用いて実現される。
【００５６】
次に、Ｗ−ＣＤＭＡ基地局装置ｃ１について説明をする。Ｗ−ＣＤＭＡ基地局装置ｃ１は、回線交換方式の通信を行う基地局装置である。
図４は、本実施形態によるＷ−ＣＤＭＡ基地局装置ｃ１の構成を示す概略的ブロック図である。
Ｗ−ＣＤＭＡ基地局装置ｃ１は、受信アンテナｃ１１、受信部ｃ１２、制御部ｃ１３、記憶部ｃ１４、通信部ｃ１５、送信部ｃ１６、及び送信アンテナｃ１７を含んで構成される。また、Ｗ−ＣＤＭＡ基地局装置ｃ１は、その他、基地局装置の一般的な機能を備える。
【００５７】
受信アンテナｃ１１は、携帯電話装置ｂ１から送信された信号を受信し、受信部ｃ１２に出力する。受信部ｃ１２は、受信アンテナｃ１１から入力された受信信号を無線周波数の信号からベースバンドの信号にダウンコンバートし、次いでアナログ／デジタル変換によりデジタル信号に変換した受信情報を、復調して制御部ｃ１３に出力する。
【００５８】
制御部ｃ１３は、着信情報取得部ｃ１３１を含んで構成される。
着信情報取得部ｃ１３１は、携帯電話装置から、セルリセレクション要求と、該携帯電話装置に通信サービス要求をした基地局装置の情報とを、受信部ｃ１２を介して受信すると、該携帯電話装置に通信サービス要求をした基地局装置から、該セルリセレクション要求をした携帯電話装置の着信情報を取得する。
例えば、着信情報取得部ｃ１３１は、携帯電話装置ｂ１の着信情報を要求する情報を、ＬＴＥ基地局装置ａ１に対して、通信部ｃ１５及び携帯電話網Ｄを介して送信する。なお、携帯電話装置ｂ１から受信したＬＴＥ基地局装置ａ１のセルＩＤに基づき、ＬＴＥ基地局装置ａ１と通信をする。
着信情報取得部ｃ１３１は、携帯電話装置ｂ１への着信情報を、ＬＴＥ基地局装置ａ１から通信部ｃ１５及び携帯電話網Ｄを介して受信し、記憶部ｃ１４の着信情報記憶部ｃ１４１に記憶させる。
【００５９】
通信部ｃ１５は、制御部ｃ１３の制御に従い、携帯電話網Ｄを介してＬＴＥ基地局装置ａ１と通信をする。
【００６０】
送信部ｃ１６は、制御部ｃ１３から入力された情報を携帯電話装置に送信する。具体的に、送信部ｃ１６は、制御部ｃ１３から入力されたデジタル信号の情報を、デジタル／アナログ変換によりアナログ信号に変換して送信信号として、無線周波数の信号にアップコンバートし、送信アンテナｃ１７を介して、例えば、携帯電話装置ｂ１に送信をする。
【００６１】
なお、受信部ｃ１２、制御部ｃ１３、通信部ｃ１５、送信部ｃ１６は、記憶部ｃ１４の保持するプログラムを読み出し実行することにより、又は、電子回路により実現される。
また、記憶部ｃ１４は、データを保持するものであり、磁気ハードディスク装置あるいは半導体メモリを用いて実現される。
【００６２】
以下、無線通信システムの動作について説明をする。
図５は、本実施形態による無線通信システムの動作を示すフロー図である。
まず、携帯電話装置ｂ１は、ＬＴＥ基地局装置ａ１からの通信を待ち受けている（Ｓ１０１）。なお、携帯電話装置ｂ１は、ＬＴＥ基地局装置ａ１の報知情報と、該報知情報に基づいたセルサーチにより、それぞれ、ＬＴＥ基地局装置ａ１の情報とＷ−ＣＤＭＡ基地局装置ｃ１の情報とを取得済みである。
【００６３】
次に、ＬＴＥ基地局装置ａ１は、携帯電話装置ｂ１に対するＶｏＩＰを用いた音声通話の要求を受信し、携帯電話装置ｂ１に、ショートメッセージサービスＳＭＳ着信通知をする（Ｓ１０２）。
次に、携帯電話装置ｂ１は、ＬＴＥ基地局装置ａ１と無線リソース層を接続する（Ｓ１０３）。そして、携帯電話装置ｂ１は、ショートメッセージサービスＳＭＳのメッセージ情報を受信し、該ショートメッセージサービスＳＭＳのメッセージ情報からボイスオーバアイピーＶｏＩＰを用いた音声通話の要求を検出する（Ｓ１０４）。また、携帯電話装置ｂ１は、ショートメッセージサービスＳＭＳのメッセージ情報を受信後、無線リソース層を切断する（Ｓ１０５）。
【００６４】
次に、携帯電話装置ｂ１は、Ｗ−ＣＤＭＡ基地局装置ｃ１にセルリセレクション要求を行う（Ｓ１０６）。そして、携帯電話装置ｂ１は、セルリセレクション処理を行い、Ｗ−ＣＤＭＡ基地局装置ｃ１と通信を開始する（Ｓ１０７）。このとき、携帯電話装置ｂ１は、Ｗ−ＣＤＭＡ基地局装置ｃ１に、ＬＴＥ基地局装置ａ１と通信をするための情報を送信する（Ｓ１０８）。
【００６５】
次に、Ｗ−ＣＤＭＡ基地局装置ｃ１は、ＬＴＥ基地局装置ａ１に対し、携帯電話装置ｂ１への着信情報を要求する（Ｓ１０９）。ＬＴＥ基地局装置ａ１は、Ｗ−ＣＤＭＡ基地局装置ｃ１に対し、携帯電話装置ｂ１への着信情報を送信する（Ｓ１１０）。
次に、Ｗ−ＣＤＭＡ基地局装置ｃ１は、携帯電話装置ｂ１への着信情報に基づき回線交換方式を用いた通信の着信通知を行う（Ｓ１１１）。そして、携帯電話装置ｂ１は、Ｗ−ＣＤＭＡ基地局装置ｃ１を介し、回線交換方式を用いた音声通話を行う（Ｓ１１２）。
【００６６】
このように、本実施形態によれば、移動局装置ｂ１が、ＬＴＥ基地局装置ａ１からのパケット交換方式による通信サービスを要求する通信サービス要求に対して、Ｗ−ＣＤＭＡ基地局装置ｃ１との回線交換方式による通信サービスに変更させる変更要求を送信する。これにより、移動局装置が在圏していた基地局装置の通信方式にて通信サービスを開始することなく、通信方式の異なる通信サービスを開始することができる。
【００６７】
（第２の実施形態）
以下、図面を参照しながら本発明の第２実施形態について説明する。
第１の実施形態では、無線通信システムは、セルリセレクション処理により、パケット交換方式による通信サービスを回線交換方式による通信サービスに変更したが、本実施形態では、ハンドオーバ処理により、パケット交換方式による通信サービスを回線交換方式による通信サービスに変更する。
なお、通信システムの概念図は、第１の実施形態の図１と同じである。
【００６８】
以下、本実施形態によるＬＴＥ基地局装置Ａ、携帯電話装置Ｂ、及びＷ−ＣＤＭＡ基地局装置Ｃについて説明をする。また、ＬＴＥ基地局装置ＡをＬＴＥ基地局装置ａ２、携帯電話装置Ｂを携帯電話装置ｂ２、Ｗ−ＣＤＭＡ基地局装置ＣをＷ−ＣＤＭＡ基地局装置ｃ２とする。
【００６９】
まず、ＬＴＥ基地局装置ａ２について説明をする。
図６は、本実施形態によるＬＴＥ基地局装置ａ２の構成を示す概略的ブロック図である。
本実施形態によるＬＴＥ基地局装置ａ２（図６）と、第１の実施形態によるＬＴＥ基地局装置ａ１（図２）を比較すると、制御部ａ２３のみが異なる。しかし、他の構成要素（受信アンテナａ１１、受信部ａ１２、記憶部ａ１４、通信部ａ１５、送信部ａ１６、及び送信アンテナａ１７）が持つ機能は第１の実施形態と同じであるので、第１の実施形態と同じ機能の説明は省略する。
【００７０】
制御部ａ２３は、通信部ａ１５から、セルに在圏する携帯電話装置ｂ２への着信情報が入力されると、記憶部ａ１４の着信情報記憶部ａ１４１に、該入力された着信情報を記憶させる。
【００７１】
制御部ａ２３は、通信サービス要求部ａ１３１と着信情報送信部ａ２３２とハンドオーバ制御部ａ２３３とを含んで構成される。
通信サービス要求部ａ１３１が持つ機能は、第１の実施形態と同じであるので、説明は省略する。
【００７２】
着信情報送信部ａ２３２は、通信中の携帯電話装置について、他の基地局装置へハンドオーバを要求する際、該携帯電話装置の着信情報を、該他の基地局装置に対し送信する。
例えば、ハンドオーバ制御部ａ２３３が携帯電話装置ｂ１について、Ｗ−ＣＤＭＡ基地局装置ｃ２へハンドオーバを要求するハンドオーバ要求情報を送信する際、着信情報記憶部ａ１４１から読み出した携帯電話装置ｂ１の着信情報を、Ｗ−ＣＤＭＡ基地局装置ｃ２に対して、通信部ａ１５及び携帯電話網Ｄを介して送信する。
【００７３】
ハンドオーバ制御部ａ２３３は、ハンドオーバ要求情報と、ハンドオーバ先の基地局装置と通信するための情報とを、通信中の携帯電話装置から受信し、該ハンドオーバ要求を、該ハンドオーバ先の基地局装置に対して送信する。
例えば、ハンドオーバ制御部ａ２３３は、ハンドオーバ要求情報と、ハンドオーバ先であるＷ−ＣＤＭＡ基地局装置ｃ２と通信をするための情報とを、携帯電話装置ｂ２から受信部ａ１２を介して受信する。ここで、Ｗ−ＣＤＭＡ基地局装置ｃ２と通信をするための情報とは、Ｗ−ＣＤＭＡ基地局装置ｃ２の識別情報（セルＩＤ）である。
ハンドオーバ制御部ａ２３３は、該情報が入力されると、ハンドオーバ要求情報を、Ｗ−ＣＤＭＡ基地局装置ｃ２に対して、通信部ａ１５及び携帯電話網Ｄを介して送信する。
【００７４】
ハンドオーバ制御部ａ２３３は、送信したハンドオーバ要求に対し、ハンドオーバを許可するハンドオーバ許可情報を受信すると、該ハンドオーバを要求した携帯電話装置に対し、ハンドオーバをするために必要な情報を生成する。
例えば、ハンドオーバ制御部ａ２３３は、携帯電話装置ｂ２のハンドオーバ許可情報を、Ｗ−ＣＤＭＡ基地局装置ｃ２から、通信部ａ１５及び携帯電話網Ｄを介して受信すると、携帯電話装置ｂ２がハンドオーバをするために必要な情報を生成する。ここで、ハンドオーバをするために必要な情報とは、例えば、Ｗ−ＣＤＭＡ基地局装置ｃ２の識別情報（セルＩＤ）である。
ハンドオーバ制御部ａ２３３は、該生成した携帯電話装置ｂ２がハンドオーバをするために必要な情報を、携帯電話装置ｂ２に対して、送信部ａ１６を介して送信する。
【００７５】
なお、制御部ａ２３は、記憶部ａ１４の保持するプログラムを読み出し実行することにより、又は、電子回路により実現される。
【００７６】
次に、携帯電話装置ｂ２について説明をする。
図７は、本実施形態による携帯電話装置ｂ２の構成を示す概略的ブロック図である。
本実施形態による携帯電話装置ｂ２（図７）と、第１の実施形態による携帯電話装置ｂ１（図３）を比較すると、制御部ｂ２３のみが異なる。しかし、他の構成要素（受信アンテナｂ１１、受信部ｂ１２、記憶部ｂ１４、送信部ｂ１５、及び送信アンテナｂ１６）が持つ機能は第１の実施形態と同じであるので、第１の実施形態と同じ機能の説明は省略する。
【００７７】
制御部ｂ２３は、基地局情報取得部ｂ１３１と通信方式変更部ｂ２３２とを含んで構成される。
基地局情報取得部ｂ１３１が持つ機能は、第１の実施形態と同じであるので、説明は省略する。
【００７８】
通信方式変更部ｂ２３２は、通信サービス要求検出部ｂ１２１が検出した通信サービス要求が要求する通信サービスについて、記憶部ｂ１４の通信可否情報記憶部ｂ１４１が記憶する通信サービス可否情報がパケット交換方式による通信サービスの実施不可を示す情報である場合に、回線交換方式による通信サービスに変更させる変更要求をＬＴＥ基地局装置ａ２（第１の基地局装置）に対し、送信する。
すなわち、通信方式変更部ｂ２３２は、通信サービス要求検出部ｂ１２１が検出した通信サービス要求に対し、回線交換方式（第２の通信方式）による通信サービスに変更する変更要求を送信部ｂ１５に送信させる。
【００７９】
例えば、通信方式変更部ｂ２３２は、通信サービス要求検出部ｂ１２１が検出したボイスオーバアイピーＶｏＩＰを用いた音声通話の要求が入力されると、ボイスオーバアイピーＶｏＩＰを用いた音声通話について、通信可否情報記憶部ｂ１４１から通信サービス可否情報を読み出す。
通信方式変更部ｂ２３２は、該読み出したボイスオーバアイピーＶｏＩＰを用いた音声通話についての通信サービス可否情報が、通信サービスの実施不可を示す情報である場合、基地局情報記憶部ｂ１４２が記憶する基地局装置情報の中から、回線交換方式の通信を行う基地局装置を検索する。
【００８０】
通信方式変更部ｂ２３２は、該検索の結果、回線交換方式の通信を行う基地局装置を特定する。通信方式変更部ｂ２３２は、自携帯電話装置と該特定した基地局装置とを通信させる要求情報（ハンドオーバ要求）を変更要求情報として、該通信サービスを要求した基地局装置に対して、送信部ｂ１５を介して送信する。
例えば、通信方式変更部ｂ２３２は、回線交換方式の通信を行うＷ−ＣＤＭＡ基地局装置ｃ１を特定し、ＬＴＥ基地局装置ａ２にハンドオーバ要求をする。
なお、基地局装置と通信中の携帯電話装置が通信をする基地局装置を切り替える処理をハンドオーバ処理という。
【００８１】
通信方式変更部ｂ２３２は、ハンドオーバ要求を行う際、通信サービス要求をした基地局装置の情報を、ハンドオーバ要求をする基地局装置に送信する。
すなわち、変更要求であるハンドオーバ要求は、前記第１の基地局装置の情報を、前記第２の基地局装置へ送信させる情報を含む。
【００８２】
例えば、通信方式変更部ｂ１３２は、基地局情報記憶部ｂ１４２が記憶する通信サービス要求をしたＬＴＥ基地局装置ａ２の情報を、ＬＴＥ基地局装置ａ２に対して、送信部ｂ１５を介して送信する。該情報を受信したＬＴＥ基地局装置ａ２は、Ｗ−ＣＤＭＡ基地局装置ｃ２へＬＴＥ基地局装置ａ２の情報を送信する。また、送信部ｂ１５は、ハンドオーバ要求をする際、無線リソース層を接続してから、ハンドオーバ要求を行う。
【００８３】
なお、制御部ｂ２３は、記憶部ｂ１４の保持するプログラムを読み出し実行することにより、又は、電子回路により実現される。
【００８４】
次に、Ｗ−ＣＤＭＡ基地局装置ｃ２について説明をする。
図８は、本実施形態によるＷ−ＣＤＭＡ基地局装置ｃ２の構成を示す概略的ブロック図である。
本実施形態によるＷ−ＣＤＭＡ基地局装置ｃ２（図８）と、第１の実施形態によるＷ−ＣＤＭＡ基地局装置ｃ１（図４）を比較すると、制御部ｃ２３のみが異なる。しかし、他の構成要素（受信アンテナｃ１１、受信部ｃ１２、記憶部ｃ１４、通信部ｃ１５、送信部ｃ１６、及び送信アンテナｃ１７）が持つ機能は第１の実施形態と同じであるので、第１の実施形態と同じ機能の説明は省略する。
【００８５】
制御部ｃ２３は、着信情報取得部ｃ２３１とハンドオーバ制御部ｃ２３２とを含んで構成される。
【００８６】
着信情報取得部ｃ２３１は、他の基地局装置から、携帯電話装置についてのハンドオーバ要求を、通信部ｃ１５及び携帯電話網Ｄを介して受信すると、該他の基地局から該ハンドオーバの要求があった携帯電話装置の着信情報を取得する。
例えば、着信情報取得部ｃ２３１は、ＬＴＥ基地局装置ａ２から、携帯電話装置ｂ２についてのハンドオーバ要求を、通信部ｃ１５及び携帯電話網Ｄを介して受信すると、ＬＴＥ基地局装置ａ２から携帯電話装置ｂ２の着信情報を受信し、記憶部ｃ１４の着信情報記憶部ｃ１４１に記憶させる。
【００８７】
ハンドオーバ制御部ｃ２３２は、携帯電話装置についてのハンドオーバ要求情報を受信すると、ハンドオーバを許可するか否かを判断し、該判断結果を送信する。
例えば、ハンドオーバ制御部ｃ２３２は、携帯電話装置ｂ２についてのハンドオーバ要求情報を、他の基地局装置から通信部ｃ１５及び携帯電話網Ｄを介して受信する。ハンドオーバ制御部ｃ２３２は、該ハンドオーバ要求情報が入力されると、自基地局装置の負荷状況に基づき、ハンドオーバを許可するか否かを判断する。ハンドオーバ制御部ｃ２３２は、ハンドオーバを許可する場合、ハンドオーバを許可する情報とハンドオーバするために必要な情報とを、ＬＴＥ基地局装置ａ２に対して、通信部ｃ１５を介して送信する。
【００８８】
なお、制御部ｃ２３は、記憶部ｃ１４の保持するプログラムを読み出し実行することにより、又は、電子回路により実現される。
【００８９】
以下、無線通信システムの動作について説明をする。
図９は、本実施形態による無線通信システムの動作を示すフロー図である。
まず、携帯電話装置ｂ２は、ＬＴＥ基地局装置ａ２からの通信を待ち受けている（Ｓ２０１）。なお、携帯電話装置ｂ２は、ＬＴＥ基地局装置ａ２の報知情報と、該報知情報に基づいたセルサーチにより、それぞれ、ＬＴＥ基地局装置ａ２の情報とＷ−ＣＤＭＡ基地局装置ｃ２の情報とを取得済みである。
【００９０】
次に、ＬＴＥ基地局装置ａ２は、携帯電話装置ｂ２に対するＶｏＩＰを用いた音声通話の要求を受信し、携帯電話装置ｂ２に、ショートメッセージサービスＳＭＳ着信通知をする（Ｓ２０２）。
次に、携帯電話装置ｂ２は、ＬＴＥ基地局装置ａ２と無線リソース層を接続する（Ｓ２０３）。そして、携帯電話装置ｂ２は、ショートメッセージサービスＳＭＳのメッセージ情報を受信し、該ショートメッセージサービスＳＭＳのメッセージ情報からボイスオーバアイピーＶｏＩＰを用いた音声通話の要求を検出する（Ｓ２０４）。また、携帯電話装置ｂ２は、ショートメッセージサービスＳＭＳのメッセージ情報を受信後、無線リソース層を切断する（Ｓ２０５）。
【００９１】
次に、携帯電話装置ｂ２は、ＬＴＥ基地局装置ａ２にボイスオーバアイピーＶｏＩＰを用いた通信による接続要求を行う（Ｓ２０６）。そして、携帯電話装置ｂ２は、ＬＴＥ基地局装置ａ２にボイスオーバアイピーＶｏＩＰを用いた通信を行うため、ＬＴＥ基地局装置ａ２と無線リソース層を接続する（Ｓ２０７）。
次に、携帯電話装置ｂ２は、ＬＴＥ基地局装置ａ２に対し、ハンドオーバ要求と、セルサーチで取得したＷ−ＣＤＭＡ基地局装置ｃ２の情報とを送信する（Ｓ２０８）。
【００９２】
次に、ＬＴＥ基地局装置ａ２は、Ｗ−ＣＤＭＡ基地局装置ｃ２に対し、ハンドオーバ要求を送信する（Ｓ２０９）。Ｗ−ＣＤＭＡ基地局装置ｃ２は、ハンドオーバを許可する場合、ＬＴＥ基地局装置ａ２に対し、ハンドオーバを許可する情報を送信する（Ｓ２１０）。ＬＴＥ基地局装置ａ２は、携帯電話装置ｂ２に対し、ハンドオーバを命令する情報を送信する（Ｓ２１１）
次に、携帯電話装置ｂ２は、Ｗ−ＣＤＭＡ基地局装置ｃ２にハンドオーバする（Ｓ２１２）。そして、携帯電話装置ｂ２は、Ｗ−ＣＤＭＡ基地局装置ｃ２を介し、回線交換方式を用いた音声通話を行う（Ｓ２１３）。
【００９３】
このように、本実施形態によれば、移動局装置ｂ２が、ＬＴＥ基地局装置ａ２からのパケット交換方式による通信サービスを要求する通信サービス要求に対して、Ｗ−ＣＤＭＡ基地局装置ｃ２との回線交換方式による通信サービスに変更させる変更要求を送信する。これにより、移動局装置が通信方式を選択することができる。移動局装置が在圏していた基地局装置の通信方式にて通信サービスを開始することなく、通信方式の異なる通信サービスを開始することができる。
また、移動局装置ｂ２は、無線リソース層を接続したまま、回線交換方式を用いた通信に変更することができる。
【００９４】
（第３の実施形態）
以下、図面を参照しながら本発明の第３実施形態について説明する。
上記各実施形態では、無線通信システムは、携帯電話装置がショートメッセージサービスＳＭＳ着信通知を受信後、無線リソース層を接続してショートメッセージサービスＳＭＳメッセージ情報を受信し、無線リソース層を切断した。また、無線リソース層を切断後、携帯電話装置がボイスオーバアイピーＶｏＩＰを用いた通信を要求して、再度無線リソース層を接続し、ハンドオーバ要求を行っていた。
本実施形態では、携帯電話装置が着信通知を受信後、無線リソース層を接続してハンドオーバ要求を行う。
なお、通信システムの概念図は、第２の実施形態と同様に、第１の実施形態の図１と同じである。また、本実施形態のＷ−ＣＤＭＡ基地局装置Ｃは、第２の実施形態のＷ−ＣＤＭＡ基地局装置ｃ２と同じである。
【００９５】
以下、本実施形態によるＬＴＥ基地局装置Ａ、携帯電話装置Ｂについて説明をする。また、ＬＴＥ基地局装置ＡをＬＴＥ基地局装置ａ３、携帯電話装置Ｂを携帯電話装置ｂ３とする。
【００９６】
まず、ＬＴＥ基地局装置ａ３について説明をする。
図１０は、本実施形態によるＬＴＥ基地局装置ａ２の構成を示す概略的ブロック図である。
本実施形態によるＬＴＥ基地局装置ａ３（図１０）と、第２の実施形態によるＬＴＥ基地局装置ａ２（図６）を比較すると、制御部ａ３３のみが異なる。しかし、他の構成要素（受信アンテナａ１１、受信部ａ１２、記憶部ａ１４、通信部ａ１５、送信部ａ１６、及び送信アンテナａ１７）が持つ機能は第２の実施形態と同じであるので、第２の実施形態と同じ機能の説明は省略する。
【００９７】
制御部ａ３３は、通信部ａ１５から、セルに在圏する携帯電話装置ｂ３への着信情報が入力されると、記憶部ａ１４の着信情報記憶部ａ１４１に、該入力された着信情報を記憶２させる。
また、制御部ａ３３は、通信サービス要求部ａ３３１と着信情報送信部ａ２３２とハンドオーバ制御部ａ２３３とを含んで構成される。
着信情報送信部ａ２３２とハンドオーバ制御部ａ２３３とが持つ機能は、第２の実施形態と同じであるので、説明は省略する。
【００９８】
通信サービス要求部ａ３３１は、通信部ａ１５から、セルに在圏する携帯電話装置への着信情報が入力されると、携帯電話装置に対する通信サービス要求情報を生成し、該携帯電話装置に対して送信をする。
例えば、通信サービス要求部ａ３３１は、通信部ａ１５から、セルに在圏する携帯電話装置ｂ３に対するボイスオーバアイピーＶｏＩＰを用いた音声通話を要求する情報が入力されると、ＶｏＩＰ着信通知を生成する。通信サービス要求部ａ３３１は、携帯電話装置ｂ３に対して、送信部ａ１６を介して送信する。ここで、ＶｏＩＰ着信通知は、携帯電話装置ｂ３がＶｏＩＰ着信通知を受信直後、無線リソース層を接続する通知である。
【００９９】
なお、制御部ａ３３は、記憶部ａ１４の保持するプログラムを読み出し実行することにより、又は、電子回路により実現される。
【０１００】
次に、携帯電話装置ｂ３について説明をする。
図１１は、本実施形態による携帯電話装置ｂ３の構成を示す概略的ブロック図である。
本実施形態による携帯電話装置ｂ３（図１１）と、第２の実施形態による携帯電話装置ｂ２（図７）を比較すると、受信部ｂ３２と制御部ｂ３３のみが異なる。しかし、他の構成要素（受信アンテナｂ１１、記憶部ｂ１４、送信部ｂ１５、及び送信アンテナｂ１６）が持つ機能は第２の実施形態と同じであるので、第２の実施形態と同じ機能の説明は省略する。
【０１０１】
受信部ｂ３２は、受信アンテナｂ１１から入力された受信信号を無線周波数の信号からベースバンドの信号にダウンコンバートし、次いでアナログ／デジタル変換によりデジタル信号に変換した受信情報を、復調して制御部ｂ３３に出力する。
【０１０２】
また、受信部ｂ３２は、通信サービス要求検出部ｂ３２１を含んで構成される。
通信サービス要求検出部ｂ３２１は、パケット交換方式を用いた通信を要求する通信サービス要求を検出する。
例えば、通信サービス要求検出部ｂ３２１は、ＬＴＥ基地局装置ａ３がＶｏＩＰ着信通知を受信し、通信サービス要求がボイスオーバアイピーＶｏＩＰを用いた音声通話の要求情報であることを検出する。
【０１０３】
制御部ｂ３３は、基地局情報取得部ｂ１３１と通信方式変更部ｂ３３２とを含んで構成される。
基地局情報取得部ｂ１３１が持つ機能は、第１の実施形態と同じであるので、説明は省略する。
【０１０４】
通信方式変更部ｂ３３２は、通信サービス要求検出部ｂ３２１が検出した通信サービス要求が要求する通信サービスについて、記憶部ｂ１４の通信可否情報記憶部ｂ１４１が記憶する通信サービス可否情報がパケット交換方式による通信サービスの実施不可を示す情報である場合に、回線交換方式による通信サービスに変更させる変更要求を、ＬＴＥ基地局装置ａ３に対し、送信する。
すなわち、通信方式変更部ｂ３３２は、通信サービス要求検出部ｂ３２１が検出した通信サービス要求に対し、回線交換方式による通信サービスに変更する変更要求を送信部ｂ１５に送信させる。
【０１０５】
例えば、通信方式変更部ｂ３３２は、通信サービス要求検出部ｂ３２１が検出したＶｏＩＰ着信通知が入力されると、ボイスオーバアイピーＶｏＩＰを用いた音声通話について、通信可否情報記憶部ｂ１４１から通信サービス可否情報を読み出す。
通信方式変更部ｂ３３２は、該読み出したボイスオーバアイピーＶｏＩＰを用いた音声通話についての通信サービス可否情報が、通信サービスの実施不可を示す情報である場合、基地局情報記憶部ｂ１４２が記憶する基地局装置情報の中から、回線交換方式の通信を行う基地局装置を検索する。
【０１０６】
通信方式変更部ｂ３３２は、該検索の結果、回線交換方式の通信を行う基地局装置を特定する。通信方式変更部ｂ３３２は、自携帯電話装置と該特定した基地局装置とを通信させる要求情報（ハンドオーバ要求）を変更要求情報として、該通信サービスを要求した基地局装置に対して、送信部ｂ１５を介して送信する。
例えば、通信方式変更部ｂ３３２は、回線交換方式の通信を行うＷ−ＣＤＭＡ基地局装置ｃ１を特定し、ＬＴＥ基地局装置ａ３にハンドオーバ要求をする。
【０１０７】
通信方式変更部ｂ３３２は、ハンドオーバ要求を行う際、通信サービス要求をした基地局装置の情報を、ハンドオーバ要求をする基地局装置に送信する。
すなわち、変更要求であるハンドオーバ要求は、前記第１の基地局装置の情報を、前記第２の基地局装置へ送信させる情報を含む。
例えば、通信方式変更部ｂ３３２は、基地局情報記憶部ｂ１４２が記憶する通信サービス要求をしたＬＴＥ基地局装置ａ３の情報を、ＬＴＥ基地局装置ａ３に対して、送信部ｂ１５を介して送信する。該情報を受信したＬＴＥ基地局装置ａ３は、Ｗ−ＣＤＭＡ基地局装置ｃ２へＬＴＥ基地局装置ａ２の情報を送信する。また、送信部ｂ１５は、ハンドオーバ要求をする際、ＶｏＩＰ着信通知を受信する際に接続した無線リソース層との接続を保ったまま、ハンドオーバ要求を行う。
【０１０８】
なお、受信部ｂ３２、制御部ｂ３３は、記憶部ｂ１４の保持するプログラムを読み出し実行することにより、又は、電子回路により実現される。
【０１０９】
以下、無線通信システムの動作について説明をする。
図１２は、本実施形態による無線通信システムの動作を示すフロー図である。
本実施形態の動作（図１２）と第２の実施形態の動作（図９）とを比較すると、ステップＳ３０１〜ステップＳ３０３が異なる。しかし、他の動作（Ｓ２０８〜Ｓ２１３）は第２の実施形態と同じであるので、第２の実施形態と同じ動作の説明は省略する。
【０１１０】
まず、携帯電話装置ｂ３は、ＬＴＥ基地局装置ａ３からの通信を待ち受けている（Ｓ３０１）。なお、携帯電話装置ｂ３は、ＬＴＥ基地局装置ａ３の報知情報と、該報知情報に基づいたセルサーチにより、それぞれ、ＬＴＥ基地局装置ａ３の情報とＷ−ＣＤＭＡ基地局装置ｃ２の情報とを取得済みである。
【０１１１】
次に、ＬＴＥ基地局装置ａ３は、携帯電話装置ｂ３に対するＶｏＩＰを用いた音声通話の要求を受信し、携帯電話装置ｂ３に、ＶｏＩＰ着信通知をする（Ｓ３０２）。次に、携帯電話装置ｂ３は、無線リソース層を接続する（Ｓ３０３）。
【０１１２】
このように、本実施形態によれば、移動局装置ｂ３が、ＬＴＥ基地局装置ａ３からのパケット交換方式による通信サービスを要求する通信サービス要求に対して、Ｗ−ＣＤＭＡ基地局装置ｃ２との回線交換方式による通信サービスに変更させる変更要求を送信する。これにより、移動局装置が在圏していた基地局装置の通信方式にて通信サービスを開始することなく、通信方式の異なる通信サービスを開始することができる。
【０１１３】
（第４の実施形態）
以下、図面を参照しながら本発明の第４実施形態について説明する。
上記の各実施形態では、携帯電話装置は、着信通知（通信サービス要求）を受信した後、回線交換方式による通信サービスに変更する変更要求をしていた。
本実施形態では、携帯電話装置は、通信サービス要求前に、基地局装置に予め回線交換方式による通信サービスに変更する変更要求して、回線交換方式による通信サービスを実施する。
なお、通信システムの概念図は、第１の実施形態の図１と同じである。また、Ｗ−ＣＤＭＡ基地局装置Ｃは、第３の実施形態と同様に、第２の実施形態のＷ−ＣＤＭＡ基地局装置ｃ２と同じである。
【０１１４】
以下、本実施形態によるＬＴＥ基地局装置Ａ、携帯電話装置Ｂについて説明をする。また、ＬＴＥ基地局装置ＡをＬＴＥ基地局装置ａ４、携帯電話装置Ｂを携帯電話装置ｂ４とする。
【０１１５】
まず、ＬＴＥ基地局装置ａ４について説明をする。
図１３は、本実施形態によるＬＴＥ基地局装置ａ４の構成を示す概略的ブロック図である。
本実施形態によるＬＴＥ基地局装置ａ４（図１３）と、第３の実施形態によるＬＴＥ基地局装置ａ３（図１０）を比較すると、制御部ａ４３と記憶部ａ４４のみが異なる。しかし、他の構成要素（受信アンテナａ１１、受信部ａ１２、通信部ａ１５、送信部ａ１６、及び送信アンテナａ１７）が持つ機能は第３の実施形態と同じであるので、第３の実施形態と同じ機能の説明は省略する。
【０１１６】
制御部ａ４３は、通信部ａ１５から、セルに在圏する携帯電話装置ｂ４への着信情報が入力されると、記憶部ａ４４の着信情報記憶部ａ１４１に、該入力された着信情報を記憶させる。
また、制御部ａ４３は、通信サービス要求部ａ３３１と着信情報送信部ａ２３２とハンドオーバ制御部ａ４３３とを含んで構成される。
通信サービス要求部ａ３３１と着信情報送信部ａ２３２が持つ機能は、第３の実施形態と同じであるので、説明は省略する。
【０１１７】
ハンドオーバ制御部ａ４３３は、パケット交換方式による通信サービスに対して回線交換方式による通信サービスに変更する変更要求を、携帯電話装置から受信して記憶し、該携帯電話装置に対するパケット交換方式による通信サービス要求が該変更要求のあった通信サービスである場合、該携帯電話装置を回線交換方式による通信サービスを行う周辺の基地局装置にハンドオーバさせる。なお、周辺の基地局装置の情報は、記憶部ａ４４に予め記憶されている。
【０１１８】
例えば、ハンドオーバ制御部ａ４３３は、携帯電話装置ｂ４の通信サービス可否情報（変更要求）を、携帯電話装置ｂ４から、受信部ｃ１２を介して受信する。ハンドオーバ制御部ａ４３３は、該変更要求が入力されると、携帯電話装置ｂ４の識別情報と、携帯電話装置ｂ４の通信サービス可否情報とを含む移動局情報を、移動局情報記憶部ａ４４２に記憶させる。
【０１１９】
ハンドオーバ制御部ａ４３３は、通信部ａ１５から、携帯電話装置への着信情報が入力されると、移動局情報記憶部ａ４４２から該携帯電話装置の移動局情報を読み出す。ハンドオーバ制御部ａ４３３は、該読み出した移動局情報の通信サービス可否情報であって、着信情報の通信サービスに対応する情報が、パケット交換方式による通信サービスの実施不可であることを示す情報である場合、記憶部ａ４４が記憶する周辺の基地局装置の情報を読み出す。ハンドオーバ制御部ａ４３３は、該読み出した周辺の基地局装置の情報より、回線交換方式による通信サービスを行う周辺の基地局装置を特定する。
ハンドオーバ制御部ａ４３３は、移動局装置についてのハンドオーバ要求を、該特定した基地局装置に対して、通信部ａ１５及び携帯電話網Ｄを介して送信する。
【０１２０】
例えば、ハンドオーバ制御部ａ４３３は、通信部ａ１５から、携帯電話装置ｂ４へのボイスオーバアイピーＶｏＩＰを用いた音声通話を要求する情報が入力され、移動局情報記憶部ａ４４２が記憶する携帯電話装置ｂ４の通信サービス可否情報が、ボイスオーバアイピーＶｏＩＰを用いた音声通話は、通信サービスの実施不可を示す情報、である場合、回線交換方式による通信サービスを行うＷ−ＣＤＭＡ基地局装置ｃ２を特定する。
ハンドオーバ制御部ａ４３３は、ハンドオーバ要求を、該特定したＷ−ＣＤＭＡ基地局装置ｃ２に対して、通信部ａ１５を介して送信する。
【０１２１】
また、ハンドオーバ制御部ａ４３３は、通信部ａ１５から、Ｗ−ＣＤＭＡ基地局装置ｃ２が送信したハンドオーバ許可情報が入力されると、携帯電話装置ｂ２がハンドオーバをするために必要な情報を生成する。そして、ハンドオーバ制御部ａ４３３は、該生成した携帯電話装置ｂ４がハンドオーバをするために必要な情報を、携帯電話装置ｂ４に対して、送信部ａ１６を介して送信する。
【０１２２】
なお、制御部ａ４３は、記憶部ａ１４の保持するプログラムを読み出し実行することにより、又は、電子回路により実現される。
また、記憶部ａ４４は、データを保持するものであり、磁気ハードディスク装置あるいは半導体メモリを用いて実現される。
【０１２３】
次に、携帯電話装置ｂ４について説明をする。
図１４は、本実施形態による携帯電話装置ｂ４の構成を示す概略的ブロック図である。
本実施形態による携帯電話装置ｂ４（図１４）と、第３の実施形態による携帯電話装置ｂ３（図１１）を比較すると、制御部ｂ４３のみが異なる。しかし、他の構成要素（受信アンテナｂ１１、受信部ｂ１２、記憶部ｂ１４、送信部ｂ１５、及び送信アンテナｂ１６）が持つ機能は第３の実施形態と同じであるので、第３の実施形態と同じ機能の説明は省略する。
【０１２４】
制御部ｂ４３は、基地局情報取得部ｂ１３１と通信方式変更部ｂ４３２とを含んで構成される。
基地局情報取得部ｂ１３１が持つ機能は、第３の実施形態と同じであるので、説明は省略する。
【０１２５】
通信方式変更部ｂ４３２は、在圏したセルの基地局装置に対し、通信可否情報記憶部ｂ１４１が記憶する通信サービス可否情報を変更要求として、パケット交換方式の通信を行う基地局装置に対して送信する。
【０１２６】
通信方式変更部ｂ４３２は、セルに在圏すると、基地局情報記憶部ｂ１４２が記憶する情報から、該在圏するセルの基地局装置が用いる通信方式がパケット交換方式であるか否かを判断する。通信方式変更部ｂ４３２は、在圏するセルの基地局装置が用いる通信方式がパケット交換方式である場合、通信可否情報記憶部ｂ１４１が記憶する通信サービス可否情報を変更要求として、該基地局装置に対し送信部ｂ１５を介して送信する。
すなわち、通信方式変更部ｂ４３２は、通信サービス要求の前に、予め回線交換方式（第２の通信方式）による通信サービスに変更する変更要求を、ＬＴＥ基地局装置（第１の基地局装置）に対して、送信部ｂ１５を介して送信する。
【０１２７】
例えば、通信方式変更部ｂ４３２は、ＬＴＥ基地局装置ａ４のセルに在圏すると、ＬＴＥ基地局装置ａ４が用いる通信方式がパケット交換方式であることを特定する。そして、通信方式変更部ｂ４３２は、通信可否情報記憶部ｂ１４１が記憶する通信サービス可否情報を変更要求として、ＬＴＥ基地局装置ａ４に対して送信する。
なお、該変更要求は、携帯電話装置ｂ４がＬＴＥ基地局装置ａ４のセルに在圏した際に、ＬＴＥ基地局装置ａ４に在圏したことを登録するための情報である位置登録情報に含ませてもよい。
【０１２８】
なお、制御部ｂ４３は、記憶部ｂ１４の保持するプログラムを読み出し実行することにより、又は、電子回路により実現される。
【０１２９】
以下、無線通信システムの動作について説明をする。
図１５は、本実施形態による無線通信システムの動作を示すフロー図である。
まず、携帯電話装置ｂ４は、ＬＴＥ基地局装置ａ４のセルに在圏すると、ＬＴＥ基地局装置ａ４の通信方式を特定する。携帯電話装置ｂ４は、該特定の結果、ＬＴＥ基地局装置ａ４が用いる通信がパケット交換方式であることを特定し、ＬＴＥ基地局装置ａ４と無線リソース層を接続する（Ｓ４０１）。
【０１３０】
次に、携帯電話装置ｂ４は、ＬＴＥ基地局装置ａ４に、位置登録情報を送信する際、回線交換方式による通信サービスに変更する変更要求をし、ＬＴＥ基地局装置ａ４は、携帯電話装置ｂ４の識別情報と変更要求情報を記憶する（Ｓ４０２）。そして、携帯電話装置ｂ４は、ＬＴＥ基地局装置ａ４と無線リソース層を切断する（Ｓ４０３）。
また、携帯電話装置ｂ４は、ＬＴＥ基地局装置ａ４からの通信を待ち受ける状態となる（Ｓ４０４）。
【０１３１】
次に、ＬＴＥ基地局装置ａ４は、携帯電話装置ｂ４に対するボイスオーバアイピーＶｏＩＰを用いた音声通話の要求を受信し、携帯電話装置ｂ４に、ＶｏＩＰ着信通知をする（Ｓ４０５）。携帯電話装置ｂ４は、ＬＴＥ基地局装置ａ４と無線リソース層を接続する（Ｓ４０６）。また、ＬＴＥ基地局装置ａ４は、Ｗ−ＣＤＭＡ基地局装置ｃ２に対し、ハンドオーバ要求を送信する（Ｓ４０７）。Ｗ−ＣＤＭＡ基地局装置ｃ２は、ハンドオーバを許可する場合、ＬＴＥ基地局装置ａ４に対し、ハンドオーバを許可する情報を送信する（Ｓ４０８）。
【０１３２】
そして、ＬＴＥ基地局装置ａ４は、携帯電話装置ｂ４に対し、ハンドオーバ命令を送信する（Ｓ４０９）。
次に、携帯電話装置ｂ４は、Ｗ−ＣＤＭＡ基地局装置ｃ２にハンドオーバする（Ｓ４１１）。そして、携帯電話装置ｂ１は、Ｗ−ＣＤＭＡ基地局装置ｃ２を介し、回線交換方式を用いた通信を行う（Ｓ４１１）。
【０１３３】
このように、本実施形態によれば、携帯電話装置ｂ４は、通信サービス要求前に、予め回線交換方式による通信サービスに変更する変更要求を行う。これにより、携帯電話装置に通信サービス要求をする前に、通信方式を変更することができ、移動局装置が通信サービス要求された通信を開始するまでの時間を短縮することができる。
【０１３４】
（第５の実施形態）
以下、図面を参照しながら本発明の第５実施形態について説明する。
上記各実施形態では、無線通信システムは、携帯電話装置が待ち受け中に着信が発生していた。
本実施形態では、携帯電話装置は、パケット交換方式による通信中に着信が発生し、ハンドオーバ要求を行う。
なお、通信システムの概念図は、第３の実施形態と同様に、第１の実施形態の図１と同じである。また、ＬＴＥ基地局装置ＡとＷ−ＣＤＭＡ基地局装置Ｃは、それぞれ、第３の実施形態のＬＴＥ基地局装置ａ３とＷ−ＣＤＭＡ基地局装置ｃ２と同じである。
【０１３５】
以下、本実施形態による携帯電話装置Ｂについて説明をする。また、携帯電話装置Ｂを携帯電話装置ｂ５とする。
図１６は、本実施形態による携帯電話装置ｂ５の構成を示す概略的ブロック図である。
本実施形態による携帯電話装置ｂ５（図１６）と、第３の実施形態による携帯電話装置ｂ３（図１１）を比較すると、制御部ｂ５３のみが異なる。しかし、他の構成要素（受信アンテナｂ１１、受信部ｂ３２、記憶部ｂ１４、送信部ｂ１５、及び送信アンテナｂ１６）が持つ機能は第３の実施形態と同じであるので、第３の実施形態と同じ機能の説明は省略する。
【０１３６】
制御部ｂ５３は、基地局情報取得部ｂ１３１と通信方式変更部ｂ５３２とを含んで構成される。
基地局情報取得部ｂ１３１が持つ機能は、第３の実施形態と同じであるので、説明は省略する。
【０１３７】
通信方式変更部ｂ５３２は、通信サービス要求検出部ｂ１２１が検出した通信サービス要求が要求する通信サービスについて、記憶部ｂ１４の通信可否情報記憶部ｂ１４１が記憶する通信サービス可否情報がパケット交換方式による通信サービスの実施不可を示す情報である場合に、回線交換方式による通信サービスに変更させる変更要求を、ＬＴＥ基地局装置ａ３に対し、送信する。
すなわち、通信方式変更部ｂ５３２は、通信サービス要求検出部ｂ１２１が検出した通信サービス要求に対し、回線交換方式による通信サービスに変更する変更要求を送信部ｂ１５に送信させる。
【０１３８】
例えば、通信方式変更部ｂ５３２は、通信サービス要求検出部ｂ３２１が検出したＶｏＩＰ着信通知が入力されると、ボイスオーバアイピーＶｏＩＰを用いた音声通話について、通信可否情報記憶部ｂ１４１から通信サービス可否情報を読み出す。
通信方式変更部ｂ５３２は、該読み出したボイスオーバアイピーＶｏＩＰを用いた音声通話についての通信サービス可否情報が、通信サービスの実施不可を示す情報である場合、基地局情報記憶部ｂ１４２が記憶する基地局装置情報の中から、回線交換方式の通信を行う基地局装置を検索する。
【０１３９】
通信方式変更部ｂ５３２は、該検索の結果、回線交換方式の通信を行う基地局装置を特定する。
通信方式変更部ｂ５３２は、自携帯電話装置がパケット交換方式の通信により通信中か否かを判断する。通信方式変更部ｂ５３２は、自携帯電話装置がパケット交換方式の通信により通信中の場合、特定した回線交換方式の通信を行う基地局装置がパケット交換方式の通信にも対応しているか否かを判断する。
【０１４０】
通信方式変更部ｂ５３２は、特定した回線交換方式の通信を行う基地局装置がパケット交換方式の通信にも対応している場合、自携帯電話装置と特定した回線交換方式の通信を行う基地局装置とを、回線交換方式及びパケット交換方式で通信をさせるハンドオーバ要求を変更要求情報として、通信中の基地局装置に対して送信部ｂ１５を介して送信する。
一方、通信方式変更部ｂ５３２は、特定した回線交換方式の通信を行う基地局装置がパケット交換方式の通信には対応していない場合、自携帯電話装置と特定した回線交換方式の通信を行う基地局装置とを、回線交換方式で通信させるハンドオーバ要求を送信部ｂ１５に出力する。なお、この場合、携帯電話装置は、通信中のパケット交換方式による通信を、通信中の基地局装置と継続しておこなう。
【０１４１】
例えば、通信方式変更部ｂ５３２は、ＬＴＥ基地局装置ａ３とパケット交換方式による通信で通信をしているとき、ボイスオーバアイピーＶｏＩＰを用いた音声通話の要求があった場合、基地局情報記憶部ｂ１４２が記憶する基地局装置情報の中から、回線交換方式の通信を行う基地局装置を検索し、通信方式変更部ｂ５３２は、回線交換方式の通信を行うＷ−ＣＤＭＡ基地局装置ｃ２を特定する。通信方式変更部ｂ５３２は、基地局情報記憶部ｂ１４２が記憶するＷ−ＣＤＭＡ基地局装置ｃ２の通信方式を参照する。
本実施形態では、Ｗ−ＣＤＭＡ基地局装置ｃ２は、パケット交換方式の通信に対応しているので、通信方式変更部ｂ５３２は、自携帯電話装置ｂ５とＷ−ＣＤＭＡ基地局装置ｃ２とを、回線交換方式及びパケット交換方式で通信をさせるハンドオーバ要求を、ＬＴＥ基地局装置ａ３に対して送信部ｂ１５を介して送信する。
なお、仮に、Ｗ−ＣＤＭＡ基地局装置ｃ２の通信方式がパケット交換方式に対応していない場合、通信方式変更部ｂ５３２は、自携帯電話装置ｂ５とＷ−ＣＤＭＡ基地局装置ｃ２とを、回線交換方式で通信をさせるハンドオーバ要求を、ＬＴＥ基地局装置ａ３に対して送信部ｂ１５を介して送信する。この場合、携帯電話装置ｂ５は、ハンドオーバ後、ＬＴＥ基地局装置ａ３を介してパケット交換の通信を継続して行い、Ｗ−ＣＤＭＡ基地局装置ｃ２を介して回線交換方式による音声通話を行う。
【０１４２】
なお、制御部ｂ５３は、記憶部ｂ１４の保持するプログラムを読み出し実行することにより、又は、電子回路により実現される。
【０１４３】
以下、無線通信システムの動作について説明をする。
図１７は、本実施形態による無線通信システムの動作を示すフロー図である。
まず、携帯電話装置ｂ５は、ＬＴＥ基地局装置ａ３とパケット交換方式の通信により通信中である（Ｓ５０１）。
【０１４４】
次に、ＬＴＥ基地局装置ａ３は、携帯電話装置ｂ５に対するＶｏＩＰを用いた音声通話の要求を受信し、携帯電話装置ｂ５に、ＶｏＩＰ着信通知をする（Ｓ５０２）。
次に、携帯電話装置ｂ５は、ＬＴＥ基地局装置ａ３に、ハンドオーバ要求とＷ−ＣＤＭＡ基地局装置ｃ２の情報とを送信する（Ｓ５０３）。
【０１４５】
次に、ＬＴＥ基地局装置ａ３は、Ｗ−ＣＤＭＡ基地局装置ｃ２に対し、ハンドオーバ要求を送信する（Ｓ５０４）。Ｗ−ＣＤＭＡ基地局装置ｃ２は、ハンドオーバを許可する場合、ＬＴＥ基地局装置ａ３に対し、ハンドオーバを許可する情報を送信する（Ｓ５０５）。ＬＴＥ基地局装置ａ３は、携帯電話装置ｂ５に対し、ハンドオーバを命令する情報を送信する（Ｓ５０６）。
次に、携帯電話装置ｂ５は、Ｗ−ＣＤＭＡ基地局装置ｃ２にハンドオーバする（Ｓ５０７）。
そして、携帯電話装置ｂ５は、Ｗ−ＣＤＭＡ基地局装置ｃ２を介し、パケット交換方式の通信を継続する（Ｓ５０８）。さらに、携帯電話装置ｂ１は、Ｗ−ＣＤＭＡ基地局装置ｃ２を介し、回線交換方式による音声通話を行う（Ｓ５０９）。
【０１４６】
このように、本実施形態によれば、移動局装置ｂ５が、ＬＴＥ基地局装置ａ３からのパケット交換方式による通信サービスを要求する通信サービス要求に対して、Ｗ−ＣＤＭＡ基地局装置ｃ２との回線交換方式による通信サービスに変更させる変更要求を送信する。これにより、移動局装置が在圏していた基地局装置の通信方式にて通信サービスを開始することなく、通信方式の異なる通信サービスを開始することができる。
【０１４７】
なお、上記第１の実施形態から第４の実施形態では、通信の待ち受けを行っているが、その際、携帯電話装置Ｂは、Ｗ−ＣＤＭＡ基地局装置Ｃからの通信を優先して待ち受けるようにしてもよい。ここで、セルリセレクション処理において、通信待ちをする基地局装置は、各基地局装置が送信する報知情報に含まれる電波の受信品質の閾値によって判断する。つまり、携帯電話端末Ｂは、電波の受信品質が該受信品質の閾値を超えた基地局装置を選択して、セルリセレクション要求をして通信待ちをする。
例えば、携帯電話装置Ｂは、Ｗ−ＣＤＭＡ基地局装置Ｃを通信待ちする基地局装置として選択するための受信品質の閾値を下げ、また、逆に、ＬＴＥ基地局装置Ａを通信待ちする基地局装置として選択するための受信品質の閾値を上げるようにしてもよい。
これにより、携帯電話装置Ｂは、Ｗ−ＣＤＭＡ基地局装置Ｃを通信待ちする基地局装置として選択することが多くなり、変更要求を送信することなく、最初から回線交換方式による通信をすることができ、音声着信の手順と時間をより短縮することができる。
【０１４８】
また、上記各実施形態では、携帯電話装置Ｂは、各基地局装置が送信した報知情報に含まれる各基地局装置の通信方式の情報を記憶し、該通信方式に基づき、変更要求をしている。例えば、大量の通信が発生して通信に必要なリソースの確保が困難な基地局装置は、自基地局装置の通信方式がパケット交換方式のみである情報を報知することで、一定のリソースが必要なボイスオーバアイピーＶｏＩＰを用いた通信を回避し、通信に必要なリソース不足となる状態を回避することができる。
【０１４９】
また、上記各実施形態では、回線交換方式の通信をする基地局装置としてＷ−ＣＤＭＡ基地局装置Ｃ、パケット交換方式のみの通信をする基地局装置としてＬＴＥ基地局装置Ｂ、について説明したが、本発明はこれに限らず、例えば、回線交換方式の通信をする基地局装置としてＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式やＣＤＭＡ２０００方式を用いた基地局装置、パケット交換方式のみの通信をする基地局装置として４Ｇ（Ｔｈｅ  ４ｒｄ  Ｇｅｎｅｒａｔｉｏｎ：第４世代）方式として検討されているＬＴＥ  Ａｄｖａｎｃｅｄ方式やＵＷＢ（Ｕｌｔｒａ  Ｗｉｄｅ  Ｂａｎｄ）方式やＷｉＭａｘ（Ｗｏｒｌｄｗｉｄｅ  Ｉｎｔｅｒｏｐｅｒａｂｉｌｉｔｙ ｆｏｒ Ｍｉｃｒｏｗａｖｅ Ａｃｃｅｓｓ）方式を用いた基地局装置としてもよい。また、回線交換方式を持つ通信方式でもＷ−ＣＤＭＡのパケット交換方式専用の基地局装置などとしてもよい。
【０１５０】
また、上記各実施形態ではパケット交換方式で音声通話ができない場合に対して回線交換方式で音声通話を行うことに対して記載したが、本発明はこれに限らず、例えば、通信可能な領域（通信エリア）は広いが低速パケット通信しか出来ない基地局装置からの着信を、呼接続することなく、通信エリアは狭いが高速パケット通信が可能な基地局装置で通信を開始することも可能である。これにより、少ない遅延で高速通信を開始するという利点がある。
また、待ち受けには通信エリアが広い基地局装置が適しており、通信には高速通信を行う基地局装置が適している。通信エリアが広い基地局装置は従量課金などの比較的高額な料金、通信エリアが狭い基地局装置は無線ＬＡＮなどの定額課金など比較的低額な料金となることも考えられ、この場合にも利点がある。
この場合、例えば、携帯電話装置ｂ１〜ｂ５は、通信エリアの広さや通信料金の情報を、複数の基地局装置からの報知情報、又はセルサーチにより取得し、該取得した情報を比較することにより、通信サービス可否情報を更新して記憶させてもよい。例えば、携帯電話装置ｂ１〜ｂ５は、回線交換型の通信サービスとパケット交換型の通信サービスの通信料金を比較し、通信料金が高い回線交換型の通信サービスについては通信サービスの実施不可を示す情報、通信料金が安いパケット交換型の通信サービスについては、通信サービスの実施可を示す情報を、通信サービス可否情報として通信可否情報記憶部ｂ１４１に記憶させる。
【０１５１】
なお、上述した実施形態における移動局装置ｂ１〜ｂ５の一部、例えば、通信サービス要求検出部ｂ１２１，ｂ３２１、通信方式変更部ｂ１３２，ｂ２３２，ｂ３３２，ｂ４３２，ｂ５３２をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【０１５３】
【図１】この発明の第１の実施形態による通信システムの概念図である。
【図２】本実施形態によるＬＴＥ基地局装置の構成を示す概略的ブロック図である。
【図３】本実施形態による携帯電話装置の構成を示す概略的ブロック図である。
【図４】本実施形態によるＷ−ＣＤＭＡ基地局装置の構成を示す概略的ブロック図である。
【図５】本実施形態による無線通信システムの動作を示すフロー図である。
【図６】この発明の第２の実施形態によるＬＴＥ基地局装置の構成を示す概略的ブロック図である。
【図７】本実施形態による携帯電話装置の構成を示す概略的ブロック図である。
【図８】本実施形態によるＷ−ＣＤＭＡ基地局装置の構成を示す概略的ブロック図である。
【図９】本実施形態による無線通信システムの動作を示すフロー図である。
【図１０】この発明の第３の実施形態によるＬＴＥ基地局装置の構成を示す概略的ブロック図である。
【図１１】本実施形態による携帯電話装置の構成を示す概略的ブロック図である。
【図１２】本実施形態による無線通信システムの動作を示すフロー図である。
【図１３】この発明の第４の実施形態によるＬＴＥ基地局装置の構成を示す概略的ブロック図である。
【図１４】本実施形態による携帯電話装置の構成を示す概略的ブロック図である。
【図１５】本実施形態による無線通信システムの動作を示すフロー図である。
【図１６】この発明の第５の実施形態による携帯電話装置の構成を示す概略的ブロック図である。
【図１７】本実施形態による無線通信システムの動作を示すフロー図である。
【符号の説明】
【０１５４】
Ａ，ａ１，ａ２，ａ３・・・ＬＴＥ基地局装置
Ｂ，ｂ１，ｂ２，ｂ３，ｂ４，ｂ５・・・携帯電話装置
Ｃ，ｃ１，ｃ２・・・Ｗ−ＣＤＭＡ基地局装置
Ｄ・・・携帯電話網
ａ１１・・・受信アンテナ、ａ１２・・・受信部、ａ１３，ａ２３，ａ３３，ａ４３・・・制御部、ａ１４，ａ４４・・・記憶部、ａ１５・・・通信部、ａ１６・・・送信部、ａ１７・・・送信アンテナ
ｂ１１・・・受信アンテナ、ｂ１２，ｂ３２・・・受信部、ｂ１３，ｂ２３，ｂ３３，ｂ４３，ｂ５３・・・制御部、ｂ１４・・・記憶部、ｂ１５・・・送信部、ｂ１６・・・送信アンテナ
ｃ１１・・・受信アンテナ、ｃ１２・・・受信部、ｃ１３，ｃ２３・・・制御部、ｃ１４・・・記憶部、ｃ１５・・・通信部、ｃ１６・・・送信部、ｃ１７・・・送信アンテナ
ａ１４１・・・着信情報記憶部、ａ１３１，ａ３３１・・・通信サービス要求部、ａ１３２，ａ２３２・・・着信情報送信部、ａ２３３，ａ４３３・・・ハンドオーバ制御部、ａ４４２・・・移動局情報記憶部
ｂ１２１，ｂ３２１・・・通信サービス要求検出部、ｂ１３１・・・基地局情報取得部、ｂ１３２，ｂ２３２，ｂ３３２，ｂ４３２，ｂ５３２・・・通信方式変更部、ｂ１３３・・・通信可否情報更新部、ｂ１４１・・・通信可否情報記憶部、ｂ１４２・・・基地局情報記憶部
ｃ１４１・・・着信情報記憶部、ｃ１３１，ｃ２３１・・・着信情報取得部、ｃ２３２・・・ハンドオーバ制御部
【図１】
2009278423.tif 000003
【図２】
2009278423.tif 000004
【図３】
2009278423.tif 000005
【図４】
2009278423.tif 000006
【図５】
2009278423.tif 000007
【図６】
2009278423.tif 000008
【図７】
2009278423.tif 000009
【図８】
2009278423.tif 000010
【図９】
2009278423.tif 000011
【図１０】
2009278423.tif 000012
【図１１】
2009278423.tif 000013
【図１２】
2009278423.tif 000014
【図１３】
2009278423.tif 000015
【図１４】
2009278423.tif 000016
【図１５】
2009278423.tif 000017
【図１６】
2009278423.tif 000018
【図１７】
2009278423.tif 000019